(57)【要約】【課題】装置本体での映像再生時の画像品質を保つことを可能にすることを課題とする。【解決手段】メタデータ付加部（１０５）は、撮像素子（１０２）にて映像の撮像がなされた際のシャッタースピードとゲインの設定条件の情報を、撮像素子（１０２）により撮像された映像データに対して付加する。ＣＰＵ（１１４）は、記録部（１０６）の映像データを装置本体で再生表示するとき、遮光状態とした撮像素子（１０２）に対して、映像データに付加されたシャッタースピードとゲインの設定条件による撮像を行わせて補正用データを取得させる。画像補正部（１０９）は、再生される映像データに対して補正用データを用いた補正処理を行う。【選択図】図１
2016127385.tif 000002
【特許請求の範囲】
【請求項１】
設定条件に応じた撮像を行う撮像手段と、
前記撮像手段により撮像された映像データに対し、前記撮像手段が撮像した際の設定条件の情報を付加する付加手段と、
前記設定条件の情報が付加された映像データの再生が行われる場合、遮光状態とした前記撮像手段に対し、前記設定条件に応じた撮像を行わせて、補正用データを取得する取得手段と、
前記再生される映像データに対し、前記補正用データを用いた補正処理を行う補正手段と
を有することを特徴とする撮像装置。
【請求項２】
前記設定条件の情報が付加された映像データを記録する記録手段と、
映像を表示する表示手段とをさらに有し、
前記記録手段に記録された映像データに基づく映像を前記表示手段に表示する場合、
前記取得手段は、前記記録手段に記録された映像データに付加されている設定条件に応じた撮像を前記撮像手段に行わせて前記補正用データを取得し、
前記補正手段は、前記記録手段から読み出された映像データに対し、前記補正用データを用いた補正処理を行い、
前記表示手段は、前記補正処理された映像データに基づく映像を表示することを特徴とする請求項１に記載の撮像装置。
【請求項３】
前記映像データは動画映像を構成する各フレームのデータであり、前記映像データに付加された設定条件は前記映像データの各フレームに対応した設定条件となされており、
前記映像データの各フレームが順に再生される場合、
前記取得手段は、前記再生される映像データの各フレームに対応した設定条件に応じた撮像を前記撮像手段に行わせて、前記各フレームに対応した前記補正用データを取得し、
前記補正手段は、前記再生される各フレームの映像データに対し、前記各フレームに対応して取得された前記補正用データを用いた補正処理を行うことを特徴とする請求項１又は２に記載の撮像装置。
【請求項４】
前記映像データは動画映像を構成する各フレームのデータであり、前記映像データに付加された設定条件は前記映像データの各フレームに対応した設定条件となされており、
前記映像データの各フレームが順に再生される場合に、これから再生される映像データのフレームに対応した設定条件が、以前のフレームの映像データの補正処理に使用された補正用データを取得した際の設定条件と同じであったときには、
前記取得手段は、前記撮像手段を遮光状態にした撮像を行わせず、
前記補正手段は、前記以前のフレームの映像データの補正処理に使用された補正用データを用いて、前記再生されるフレームの映像データの補正処理を行うことを特徴とする請求項１又は２に記載の撮像装置。
【請求項５】
前記映像データには、前記撮像手段のオプティカルブラック領域のデータが含まれており、
前記再生される映像データに付加されている前記設定条件が所定の設定条件となっている場合、
前記取得手段は、前記撮像手段を遮光状態にした撮像を行わせずに、前記映像データに含まれているオプティカルブラック領域のデータを前記補正用データとして取得し、
前記補正手段は、前記オプティカルブラック領域のデータから取得された前記補正用データを用いて、前記再生される映像データの補正処理を行うことを特徴とする請求項１乃至３の何れか１項に記載の撮像装置。
【請求項６】
前記所定の設定条件は前記撮像手段のゲインが所定の閾値より低くなる設定条件であり、
前記取得手段は、前記撮像手段のゲインが所定の閾値より低くなる設定条件となっているとき、前記オプティカルブラック領域のデータを前記補正用データとして取得することを特徴とする請求項５に記載の撮像装置。
【請求項７】
設定条件に応じた撮像を行う撮像手段を備えた撮像装置の制御方法であって、
前記撮像手段により撮像された映像データに対し、前記撮像手段にて撮像がなされた際の設定条件の情報を付加する付加ステップと、
前記設定条件の情報が付加された映像データの再生が行われる場合、遮光状態とした前記撮像手段に対し、前記映像データに付加された前記設定条件に応じた撮像を行わせて、補正用データを取得する取得ステップと、
前記再生される映像データに対し、前記補正用データを用いた補正処理を行う補正ステップと
を含むことを特徴とする撮像装置の制御方法。
【発明の詳細な説明】
【技術分野】
【０００１】
本発明は、撮像装置及び撮像装置の制御方法に関する。
【背景技術】
【０００２】
近年、デジタルビデオカメラをはじめとする撮像装置では、記録できる画素数が増してきている。これは、撮像装置が記録した映像を映し出すモニタの規格とも密接な関係がある。すなわち、モニタの規格は、ＳＤ（Ｓｔａｎｄａｒｄ Ｄｅｆｉｎｉｔｉｏｎ）と呼ばれる規格から、ＨＤ（Ｈｉｇｈ  Ｄｅｆｉｎｉｔｉｏｎ）と呼ばれる規格への移行があり、今後はさらなる高解像度を持つモニタへの移行が予定されている。ＨＤ規格の解像度は、主に横１９２０画素、縦１０８０画素（以下、１９２０×１０８０と表す）であるが、４ｋ２ｋと呼ばれる次世代モニタの解像度は、３８４０×２１６０画素となり、ＨＤ規格の４倍の画素数である。また、デジタルシネマで策定されている規格は、４０９６×２１６０画素で、４ｋ２ｋよりも画素数が多い。また、４ｋ２ｋよりもさらに次の世代として、８ｋ４ｋと呼ばれる規格も考えられており、その規格は７６８０×４３２０画素もの画素数となる。これもデジタルシネマの場合、水平方向の画素数は８ｋを超えるものと考えられる。
【０００３】
このような変化に伴い、撮像装置においても、記録できる画素数について更なる高画素数化への対応が要求されている。特に、映像を撮像するための撮像素子は、スーパーハイビジョンの画素数に対応したものとなされる。但し、撮像素子の一例であるＣＭＯＳイメージセンサは、その構造からＦＰＮやＰＲＮＵ、ＤＳＮＵ、さらには画素欠陥による点キズなどが存在することがある。このため、通常、撮像装置は、画像処理ＬＳＩなどを用い、それらノイズや点キズに対する補正処理をリアルタイムに行っている。なお、ＦＰＮは垂直方向の固定パターンノイズ（Ｆｉｘｅｄ−ｐａｔｔｅｒｎ  Ｎｏｉｓｅ）、ＰＲＮＵは感度不均一性による縦線ノイズ、ＤＳＮＵは暗電流不均一性によるノイズである。
【０００４】
また、例えば特許文献１には、映像信号取得後に補正用の黒画像データを取得し、その黒補正データと、生産工程で取得しておいた補正用の黒画像データとの、何れかの補正データを用いて補正を行うシステムが開示されている。
【先行技術文献】
【特許文献】
【０００５】
【特許文献１】特開２００３−３３３４３４号公報
【発明の概要】
【発明が解決しようとする課題】
【０００６】
ところで、前述のように撮像素子の出力画素数が多くなると、撮像素子から出力される映像信号の情報量が多くなる。特に、動画像の撮影がなされているような場合には、情報量の多い映像信号を１フレームの時間内に処理しなければならなくなるため、高速処理が可能な大規模な画像処理ＬＳＩが必要になり、また消費電力も増大する。このような場合、例えば記録時の映像信号には補正処理を行わずＲＡＷデータとして記録し、後に補正処理を行うシステムが考えられる。撮像装置本体で再生を行うときも同様に、記録したＲＡＷデータに対して補正処理を行う必要がある。
【０００７】
しかしながら、例えば情報量削減のために補正用のＯＢ（Ｏｐｔｉｃａｌ  Ｂｌａｃｋ）領域を含まないＲＡＷデータを記録した場合において、その映像を撮像装置本体で再生表示するためには、別途、補正用の黒データを用意しておく必要がある。このような補正用データは、例えば生産工程で予め取得しておくか、或いは映像を一枚記録するごとに取得する必要がある。しかしながら、ノイズやキズの程度は、撮像素子の条件によって様々であるため、例えば生産工程で予め補正用黒データを用意しておく場合には、全ての条件で映像信号を補正できるだけの膨大な量の補正用黒データが必要になる。また例えば、映像一枚ごとに補正用黒データを取得することにした場合、フレーム１枚ごとに黒データを取得しなければならないためフレームレートが遅くなってしまう。それに、補正用の黒データも記録しておかなければならないため、記録データ量が膨大になってしまう。
【０００８】
本発明はこのような問題点に鑑みてなされたものであり、装置本体での映像再生時の画像品質を保つことを可能にする撮像装置及び撮像装置の制御方法を提供することを目的とする。
【課題を解決するための手段】
【０００９】
本発明の撮像装置は、設定条件に応じた撮像を行う撮像手段と、前記撮像手段により撮像された映像データに対し、前記撮像手段が撮像した際の設定条件の情報を付加する付加手段と、前記設定条件の情報が付加された映像データの再生が行われる場合、遮光状態とした前記撮像手段に対し、前記設定条件に応じた撮像を行わせて、補正用データを取得する取得手段と、前記再生される映像データに対し、前記補正用データを用いた補正処理を行う補正手段とを有することを特徴とする。
【発明の効果】
【００１０】
本発明によれば、装置本体での映像再生時の画像品質を保つことが可能となる。
【図面の簡単な説明】
【００１１】
【図１】実施形態の撮像装置の概略構成を示す図である。
【図２】第１の実施形態の撮像装置本体による映像再生時のフローチャートである。
【図３】映像撮影時の撮影条件と補正データの関係を示す図である。
【図４】第３の実施形態の撮像装置本体による映像再生時のフローチャートである。
【発明を実施するための形態】
【００１２】
＜第１の実施形態＞
図１は、本実施形態の撮像装置の概略構成を示す図である。なお、本実施形態の撮像装置は、一例として交換レンズ式のビデオカメラであるものとする。また、本実施形態の撮像装置は、水平方向の画素数が約８０００画素（以下、８Ｋとする。）のＲＡＷデータを撮像して記録し、撮像装置本体では水平方向の画素数が約２０００画素（以下、２Ｋとする。）の映像を再生表示可能であるとする。
【００１３】
図１において、ＣＰＵ１１４は、撮像装置全体の制御を司る。被写体等から入射した光を撮像素子１０２の受光面上に結像させるための光学レンズ１０１は、入射する光量を調整するための絞り(アイリス)等を有する。なお、絞りは、撮像素子１０２を完全に遮光状態にすることが可能なものとなされている。レンズ制御部１１３は、ＣＰＵ１１４からの制御情報をもとに、光学レンズ１０１における映像撮影時の設定条件を制御する。具体的には、レンズ制御部１１３は、ＣＰＵ１１４からの制御情報をもとに、映像撮影時の設定条件として、光学レンズ１０１の焦点距離や絞り値を制御する。すなわち、レンズ制御部１１３は、ＣＰＵ１１４からの制御情報に基づく設定条件の焦点距離となるように光学レンズ１０１内のフォーカス光学系を駆動する。また、レンズ制御部１１３は、ＣＰＵ１１４からの制御情報に基づく設定条件の絞り値となるように光学レンズ１０１の絞りを駆動する。このようにして絞りと焦点距離が設定された光学レンズ１０１は、被写体などから入射した光を、撮像素子１０２のセンサ面上に結像させる。なお、レンズ制御部１１３は、光学レンズ１０１が撮像装置本体に装着されているか否かも認識可能となされ、その装着の有無を示す情報をＣＰＵ１１４へ出力する。
【００１４】
撮像素子１０２は、例えばＣＭＯＳイメージセンサからなる。撮像素子制御部１１２は、ＣＰＵ１１４からの制御情報をもとに、撮像素子１０２における映像撮影時の設定条件を制御する。具体的には、撮像素子制御部１１２は、ＣＰＵ１１４からの制御情報をもとに、映像撮影時の設定条件として、撮像素子１０２の露光時間に相当するシャッタースピードとセンサの受光信号を増幅する際のゲインとを設定する。すなわち、撮像素子制御部１１２は、ＣＰＵ１１４からの制御情報に基づいて撮像素子１０２のシャッタースピードの値を設定し、その設定したシャッタースピードとなるように撮像素子１０２を駆動する。また、撮像素子制御部１１２は、ＣＰＵ１１４からの制御情報に基づいて撮像素子１０２のゲインの値を設定し、その設定したゲインとなるように撮像素子１０２を駆動する。撮像素子１０２からは、８Ｋ用のデジタル映像データが出力されて、映像分配器１０３へ送られる。ここで、ＣＰＵ１１４から撮像素子制御部１１２へ送られる制御情報は、撮像素子１０２のシャッタースピードとゲインを撮像素子制御部１１２に設定させるための情報である。したがって、ＣＰＵ１１４は、映像撮影が行われたとき、映像撮影開始から終了までの全フレームにおいて撮像素子１０２のシャッタースピードの値とゲインの値がそれぞれどのような値に設定されたかを認識している。そして、ＣＰＵ１１４は、それら全フレームにおけるシャッタースピードとゲインの設定値を、後述する設定条件の情報として保持している。
【００１５】
映像分配器１０３は、撮像素子１０２から出力された映像データを、記録用の映像データ処理経路と、装置本体での表示用の映像データ処理経路とに、分配して出力する。ここで、図１において、記録用の映像データ処理経路は画像サイズ変更部１０４以降の経路となされており、表示用の映像データ処理経路は画像圧縮部１０７以降の経路となされている。なお、図１において、画像圧縮部１０８以降の経路は、補正用データの処理経路であり、その詳細については後述する。
【００１６】
画像サイズ変更部１０４は、映像分配器１０３から出力されてきた映像データを、記録用の画像サイズの映像データに変更する。例えば画像サイズ変更部１０４は、記録されるデータ量を減らすために、撮像素子１０２の出力データのうちオプティカルブラック領域（ＯＢ領域）に対応するデータを数ライン分に平均化する。画像サイズ変更部１０４は、ＯＢ領域を数ライン分に平均化して記録用サイズへの変更した映像データをメタデータ付加部１０５へ出力する。メタデータ付加部１０５は、映像撮影開始から終了までの全フレームを纏めた映像データファイルに対して、ＣＰＵ１１４から送られてくるメタデータを付加する。ここで、ＣＰＵ１１４は、例えば撮影日時や撮影場所、ファイルＩＤ等の一般的なデータに、撮像素子１０２のシャッタースピードとゲインに関する設定条件の情報（以下適宜、設定条件情報と表記する。）を含めたデータを、メタデータとして、メタデータ付加部１０５へ出力する。このメタデータは、映像撮影開始から終了までの全フレームを纏めた映像データファイルに対して付加される。但し、本実施形態において、撮像素子１０２のシャッタースピードとゲインはフレームごとに設定されるものであるため、メタデータに含める設定条件情報は、映像データファイルを構成する各フレームを個々に特定可能な情報となされている。記録部１０６は、メタデータ付加部１０５に接続されており、映像撮影開始から順次フレームの映像データを記録媒体へ記録し、その後映像撮影が終了すると、メタデータを記録媒体へ記録する。これにより、記録媒体には、メタデータの付加された映像データファイルが記録されることになる。すなわち、記録媒体に記録された映像データファイルは、各フレームの映像が撮影されたときの設定条件情報を含んだメタデータが付加されたデータファイルとなっている。
【００１７】
また、本実施形態の撮像装置で映像撮影がなされている場合において、映像分配器１０３から出力された映像データは、８Ｋ用の映像データとなっている。このため、画像圧縮部１０７は、８Ｋ用の映像データを、２Ｋサイズの映像データに圧縮して、画像補正部１０９へ出力する。撮像装置で映像撮影が行われているときの画像補正部１０９は、画像圧縮部１０７において圧縮された映像データに対し、その映像データに含まれているＯＢ領域のデータを用いた補正処理を実行し、その補正処理後の映像データを現像部１１０へ出力する。現像部１１０は、補正処理後の映像データに対し、画面表示のための現像処理を施し、その現像処理後の映像信号を表示部１１１へ出力する。また、現像部１１０は、映像信号の輝度レベルを検出し、その輝度レベルの検出情報をＣＰＵ１１４へ出力する。ＣＰＵ１１４は、輝度レベルの検出情報を基に、撮像素子制御部１１２をコントロールすることにより、撮像素子１０２のシャッタースピードやゲインを制御する。表示部１１１は、現像部１１０から送られてきた映像信号を、モニタパネルの画面に表示する。すなわち、このときの表示部１１１の画面には、映像撮影実行中の撮影映像が表示される。
【００１８】
次に、前述のようにして撮影が行われて映像データファイルが記録媒体に記録された後、本実施形態の撮像装置において、記録部１０６に記録されている映像データファイルを読み出して装置本体にて再生表示する場合について説明する。なお、以下の説明では、記録部１０６から読み出される映像データファイルを記録映像データファイルと表記し、その記録映像データファイルを構成しているフレームの映像データを記録映像データと表記することにする。記録部１０６の記録映像データファイルを装置本体で再生表示する場合、ＣＰＵ１１４は、記録部１０６に対して再生制御信号を出力する。記録部１０６は、再生制御信号を受けると、記録媒体から記録映像データを読み出して映像分配器１０３へ出力する。このときの映像分配器１０３は、記録部１０６からの読み出された記録映像データを、表示用の映像データ処理経路の画像圧縮部１０７へ出力する。画像圧縮部１０７は、記録部１０６から読み出されて映像分配器１０３から出力された８Ｋ用の記録映像データを、２Ｋサイズの記録映像データに圧縮して、画像補正部１０９へ出力する。
【００１９】
また、記録部１０６の記録映像データファイルを装置本体にて再生表示する場合、ＣＰＵ１１４は、記録部１０６が記録映像データファイルに付加されているメタデータを読み出して、そのメタデータをＣＰＵ１１４へ出力するように制御する。ＣＰＵ１１４は、記録部１０６から供給されたメタデータから、前述した設定条件情報を抽出する。また、ＣＰＵ１１４は、レンズ制御部１１３を制御し、光学レンズ１０１の絞りを閉じて（アイリスクローズ）、撮像素子１０２を遮光状態にする。なお、撮像装置がメカシャッターを備えている場合には、撮像素子１０２を遮光状態にする際にはメカシャッターも閉じることが望ましい。そして、ＣＰＵ１１４は、メタデータから抽出した設定条件の情報を基に、撮像素子制御部１１２を制御して、撮像素子１０２のシャッタースピードとゲインを設定して撮像素子１０２に撮像を実行させる。すなわち、このとき撮像素子１０２は、設定条件に応じたシャッタースピードとゲインで遮光状態の撮像を実行し、黒画像からなる映像データを出力する。以下、このようにして撮像素子１０２により撮像された黒画像からなる映像データを、ダーク映像データと呼ぶことにする。ダーク映像データは、映像分配器１０３へ出力される。映像分配器１０３は、ダーク映像データを、補正用データの処理経路における画像圧縮部１０８へ出力する。
【００２０】
画像圧縮部１０８は、映像分配器１０３から出力された８Ｋ用のダーク映像データを、２Ｋサイズのダーク映像データへ圧縮して、画像補正部１０９へ出力する。本実施形態において、画像圧縮部１０８から出力されたダーク映像データは、記録部１０６から読み出された記録映像データに対する補正用データとなされる。そして、画像補正部１０９は、表示用の映像データ処理経路における画像圧縮部１０７から供給された記録映像データを、補正用データ処理経路における画像圧縮部１０８から供給された補正用データを用いて補正する。すなわち、記録部１０６から読み出されたフレームの映像データは、そのフレームの映像データが撮像された際の設定条件に応じてシャッタースピードとゲインが設定された撮像素子１０２により撮像したダーク映像データを用いて、補正される。この画像補正部１０９での補正処理により、ＦＰＮやＰＲＮＵ、ＤＳＮＵ、画素欠陥による点キズなどが補正される。
【００２１】
そして、画像補正部１０９は、その補正処理後の記録映像データを現像部１１０へ出力する。現像部１１０は、補正処理後の記録映像データに画面表示のための現像処理を施し、その現像処理後の映像信号を表示部１１１へ出力する。表示部１１１は、現像部１１０から送られてきた映像信号をモニタパネルの画面に表示する。すなわち、このときの表示部１１１の画面には、前述のような補正用のダーク映像データを用いて補正処理がなされることで画像品質が保たれた再生映像が表示される。
【００２２】
図２は、前述のように記録部１０６に記録されている記録映像データファイルを撮像装置本体で再生表示する際の、ＣＰＵ１１４による制御処理の流れを示すフローチャートである。本実施形態の撮像装置において、図１では図示を省略している操作ボタン等を通じて、使用者から再生すべき記録映像データファイルが指示され、さらに再生スタートの指示が入力されたとする。図２のフローチャートにおいて、再生スタートの指示が入力されると、ＣＰＵ１１４は、制御処理をステップＳ２０１へ進める。ステップＳ２０１では、ＣＰＵ１１４は、レンズ制御部１１３を介して、光学レンズ１０１が撮像装置本体に装着されているかどうかを確認する。ステップＳ２０１で光学レンズ１０１が装着されていると判断した場合、ＣＰＵ１１４は、制御処理をステップＳ２０２へ進める。ステップＳ２０２では、ＣＰＵ１１４は、レンズ制御部１１３を介して、光学レンズ１０１を制御して絞りを閉じて（アイリスクローズ）、撮像素子１０２を遮光状態にする。一方、ＣＰＵ１１４は、ステップＳ２０１で光学レンズ１０１が装着されていないと判断した場合、制御処理をステップＳ２１３へ進める。ここで、光学レンズ１０１が装着されていない場合、撮像素子１０２を遮光状態にして撮像することによる補正用のダーク映像データを取得できず、再生時の画像品質を保つことができないことになる。このため、ステップＳ２１３では、ＣＰＵ１１４は、記録部１０６の記録映像を装置本体で再生表示することが出来ない（再生不可）ものとして、制御処理を終了する。なおこのとき、一例として、モニタパネルの画面上に、レンズの装着を要求するメッセージを表示することなどにより、撮像装置の使用者に対して、装置本体で映像再生を可能にするための対処法を通知してもよい。
【００２３】
ステップＳ２０２の制御処理の後、ＣＰＵ１１４は、記録部１０６から読み出した記録映像データに対する処理と、撮像素子１０２を遮光状態にした撮像により補正用のダーク映像データを取得する処理が並列して行われるように制御する。ＣＰＵ１１４は、ステップＳ２０３で記録部１０６から読み出した記録映像データに対する処理を行う場合には、ステップＳ２０８からステップＳ２１２までの制御処理を実行する。一方、ＣＰＵ１１４は、ステップＳ２０３で補正用のダーク映像データを取得する処理を行う場合には、ステップＳ２０４からステップＳ２０７までの制御処理を実行する。記録映像データに対する処理が行われる際のステップＳ２０８からステップＳ２１２までの制御処理は、記録部１０６から１フレームの記録映像データが読み出されるごとに行われる。一方、補正用のダーク映像データを取得する際のステップＳ２０４からステップＳ２０７までの制御処理において、ステップＳ２０４の制御処理は、例えば再生スタートが指示されて記録映像データファイルからメタデータが読み出されたときにのみ行われる。これに対し、ステップＳ２０５からステップＳ２０７までの制御処理は、記録映像データの各フレームに対応して行われる。
【００２４】
先ず、補正用のダーク映像データを取得する場合の制御処理から説明する。補正用のダーク映像データを取得する場合、ＣＰＵ１１４は、ステップＳ２０４において、記録部１０６から記録映像データファイルに付加されているメタデータを取得し、そのメタデータから前述した設定条件情報を抽出する。このステップＳ２０４の後、ＣＰＵ１１４は、制御処理をステップＳ２０５へ進める。ステップＳ２０５では、ＣＰＵ１１４は、メタデータから抽出した設定条件の情報を基に、撮像素子制御部１１２を介して撮像素子１０２のシャッタースピードとゲインを制御する。このステップＳ２０５の後、ＣＰＵ１１４は、制御処理をステップＳ２０６へ進める。ステップＳ２０６では、ＣＰＵ１１４は、撮像素子制御部１１２を介して撮像素子１０２を制御することで、撮像素子１０２に撮像を実行させる。これにより、撮像素子１０２からは、設定条件に応じたシャッタースピードとゲインでの遮光状態での撮像によるダーク映像データが出力される。このステップＳ２０６の後、ＣＰＵ１１４は、制御処理をステップＳ２０７へ進める。ステップＳ２０７では、ＣＰＵ１１４は、映像分配器１０３を制御して８Ｋ用のダーク映像データを画像圧縮部１０８へ出力させ、さらに画像圧縮部１０８を制御して２Ｋサイズのダーク映像データへ圧縮させる。
【００２５】
一方、記録部１０６から読み出した記録映像データに対する処理が行われる場合、ＣＰＵ１１４は、ステップＳ２０８において、記録部１０６へ再生制御信号を送り、記録部１０６から記録映像データを読み出させて映像分配器１０３へ出力させる。このステップＳ２０８の制御処理の後、ＣＰＵ１１４は、ステップＳ２０９へ制御処理を進める。ステップＳ２０９では、ＣＰＵ１１４は、映像分配器１０３から記録映像データを画像圧縮部１０７へ出力させ、８Ｋ用の記録映像データを画像圧縮部１０７で２Ｋサイズの記録映像データへ圧縮させる。
【００２６】
次に、ＣＰＵ１１４は、制御処理をステップＳ２１０へ進める。ステップＳ２１０では、ＣＰＵ１１４は、画像補正部１０９に補正処理を実行させる。このとき、画像補正部１０９には、ステップＳ２０９で画像圧縮部１０７により圧縮処理された記録映像データと、ステップＳ２０７で画像圧縮部１０８により圧縮処理されたダーク映像データとが供給される。このときのダーク映像データは、記録映像データが撮像されたときの設定条件を基にして、ステップＳ２０５でシャッタースピードとゲインが設定された撮像素子１０２により撮像されてステップＳ２０６で取得された黒画像のデータである。画像補正部１０９は、記録映像データからダーク映像データを減算することで、記録映像データのノイズやキズ成分を補正する。このステップＳ２１０の後、ＣＰＵ１１４は、制御処理をステップＳ２１１へ進める。
【００２７】
ステップＳ２１１に進むと、ＣＰＵ１１４は、画像補正部１０９での補正処理後の映像データに対し、現像部１１０での現像処理を行わせる。このステップＳ２１１の後、ＣＰＵ１１４は、ステップＳ２１２へ制御処理を進める。ステップＳ２１２では、ＣＰＵ１１４は、現像部１１０での現像処理後の映像信号を、表示部１１１へ出力させてモニタパネルの画面に表示させる。これにより、表示部１１１の画面には、補正処理後の画像品質が保たれた再生映像が表示される。
【００２８】
＜第２の実施形態＞
前述した第１の実施形態の撮像装置は、記録映像データを装置本体で再生表示する際に、記録映像データファイルの全てのフレームの記録映像データに対応した補正用のダーク映像データを取得していた。第２の実施形態の撮像装置は、記録映像データを装置本体で再生表示する場合、新たに補正用データを取得する必要があるフレームについてのみ、撮像素子１０２による撮像を行ってダーク映像データを取得する。第２の実施形態の場合、新たに補正用データを取得する必要があるフレームについてのみダーク映像データを取得するため、消費電力を抑えることができる。
【００２９】
第２の実施形態の撮像装置において記録映像データを装置本体で再生表示する場合の、記録映像データの各フレームと、取得するダーク映像データと、設定条件との関係について、図３（ａ）及び図３（ｂ）を参照しながら説明する。ここで、動画映像の撮影がなされた場合、撮像素子１０２のシャッタースピードやゲインなどの設定値は、時間順に連続した複数のフレームにおいて同じになることが多い。一回の動画映像撮影が行われることで一つの映像データファイルが記録された場合において、例えば図３（ａ）に示すように、３つの異なる設定条件ＣＳ１、ＣＳ２、ＣＳ３により撮影が行われたとする。例えば図３（ｂ）に示すように、設定条件ＣＳ１はシャッタースピードがＮ[s]でゲインがＸ[dB]、設定条件ＣＳ２はシャッタースピードがＭ[s]でゲインがＹ[dB]、設定条件ＣＳ３はシャッタースピードがＬ[s]、ゲインＸ[dB]であったとする。すなわち、一回の動画映像撮影において、設定条件ＣＳ１で時間順に連続した複数フレームが撮像された後、次に設定条件ＣＳ２で時間順に連続した複数フレームが撮像され、次に設定条件ＣＳ３で時間順に連続した複数フレームが撮像されたものとする。この図３（ｂ）に示したような設定条件で撮像がなされた映像データファイルが記録された場合において、その記録映像データファイルを装置本体で再生表示する場合、本実施形態の撮像装置は、以下のようにしてダーク映像データを取得する。なお、第２の実施形態の撮像装置の構成は、図１と同様であるため、以下の説明では図１を参照する。
【００３０】
第２の実施形態の撮像装置おいて、記録部１０６に記録されている記録映像データファイルを装置本体で再生表示する場合、ＣＰＵ１１４は、記録映像データファイルに付加されているメタデータを抽出する。このとき、光学レンズ１０１の絞りを閉じて、撮像素子１０２を遮光状態にすることなどは第１の実施形態の場合と同様である。第２の実施形態の場合、記録映像データファイルの再生スタートに応じてメタデータを取得すると、ＣＰＵ１１４は、そのメタデータに含まれる設定条件情報を抽出する。ここで、設定条件は、前述の図３（ａ）及び図３（ｂ）で説明したように、設定条件ＣＳ１、ＣＳ２、ＣＳ３の順に用いられている。同じく図３（ａ）及び図３（ｂ）で説明したように、それら各設定条件ＣＳ１、ＣＳ２、ＣＳ３において、それぞれ連続した複数のフレームの撮像がなされている。
【００３１】
このため、記録映像データを装置本体で再生表示する場合、ＣＰＵ１１４は、先ず設定条件ＣＳ１のシャッタースピードとゲインとなるように、撮像素子制御部１１２を介して撮像素子１０２を制御し、１フレーム分のみダーク映像データＣＤ１を撮像させる。この１フレーム分のダーク映像データＣＤ１は、映像分配器１０３、画像圧縮部１０８を通って、画像補正部１０９へ送られる。画像補正部１０９は、１フレーム分のダーク映像データＣＤ１を一時的に保持する。また、ＣＰＵ１１４は、記録部１０６から記録映像データをフレーム順に読み出させ、それらの記録映像データを、映像分配器１０３、画像圧縮部１０７を介して画像補正部１０９へ送る。そして、ＣＰＵ１１４は、画像補正部１０９に対し、設定条件ＣＳ１で撮像された記録映像データの各フレームについては、設定条件ＣＳ１でそれ以前に撮像して一時的に保持している、１フレーム分のダーク映像データＣＤ１を用いた補正処理を行わせる。
【００３２】
次に、設定条件ＣＳ２で撮像された各フレームの再生が行われる際には、ＣＰＵ１１４は、設定条件ＣＳ２のシャッタースピードとゲインとなるように、撮像素子制御部１１２を介して撮像素子１０２を制御し、１フレーム分のみダーク映像データＣＤ２を撮像させる。この１フレーム分のダーク映像データＣＤ２は、映像分配器１０３、画像圧縮部１０８を通って、画像補正部１０９へ送られて一時的に保持される。そして、画像補正部１０９は、設定条件ＣＳ２で撮像された記録映像データの各フレームが送られてくると、それら各フレームの記録映像データに対し、設定条件ＣＳ２で以前に撮像して一時保持している１フレーム分のダーク映像データＣＤ２を用いた補正を行う。設定条件ＣＳ３で撮像された記録映像データの各フレームの再生が行われる場合も同様に、１フレーム分のダーク映像データＣＤ３の取得と、そのダーク映像データＣＤ３を用いた補正がなされる。
【００３３】
このように、第２の実施形態では、同じ設定条件で撮像された記録映像データの各フレームに対しては、その設定条件で撮像した１フレーム分のみのダーク映像データを用いた補正が行われる。すなわち、第２の実施形態の場合、同じ設定条件で撮像された記録映像データの各フレームが再生されている場合には、新たに補正用データを取得する必要がないため、消費電力を抑えることができる。なお、第２の実施形態では、画像補正部１０９がダーク映像データを保持しているが、図示しないメモリ等の他の保持部が保持していてもよい。
【００３４】
＜第３の実施形態＞
次に、第３の実施形態について説明する。第３の実施形態の撮像装置の構成は、図１と同様であるため、以下の説明では図１を参照する。第３の実施形態の撮像装置は、メタデータに含まれる設定条件情報に基づいて、記録映像データの補正に用いるデータを変更する。例えば、低ＩＳＯ環境、すなわち低感度設定でも適正な明るさの映像が得られる環境で撮影がなされた場合、撮像素子１０２のノイズやキズのレベルは小さくなるため、例えば垂直ＯＢ領域のデータのみでも充分な補正効果が得られると考えられる。したがって、第３の実施形態の撮像装置は、低ＩＳＯ環境で撮像された記録映像データのフレームについては、補正用データとして黒画像データを取得せずに、垂直ＯＢ領域のデータのみを用いて補正処理を行う。垂直ＯＢ領域のデータは、記録映像データに含まれている垂直ＯＢ領域のデータ（前述のようにＯＢ領域が数ライン分に平均化されたデータ）を用いることができる。
【００３５】
図４は、第３の実施形態の撮像装置において、記録部１０６に記録されている映像データファイルを撮像装置本体で再生表示する際の、ＣＰＵ１１４による制御処理の流れを示すフローチャートである。なお、図４のフローチャートは基本的な流れは図２のフローチャートと同じであり、ステップＳ４０１とＳ２０１、ステップＳ４０２とＳ２０２、ステップＳ４０３とＳ２０３、ステップＳ４０４とＳ２０４、ステップＳ４０５とＳ２０５は同じ処理である。また、ステップＳ４０８とＳ２０６、ステップＳ４１０とＳ２０８、ステップＳ４１１とＳ２０９、ステップＳ４１３とＳ２１１、ステップＳ４１４とＳ２１２、ステップＳ４１５とＳ２１３は同じ処理である。以下、図２のフローチャートとは異なる処理についてのみ説明する。
【００３６】
ステップＳ４０５にて設定条件に基づいて撮像素子１０２のシャッタースピードとゲインが設定された後、ＣＰＵ１１４は、ステップＳ４０６へ制御処理を進める。ステップＳ４０６では、ＣＰＵ１１４は、撮像素子１０２に対する設定条件のうち、ゲインの設定値が所定の閾値Ｚ[dB]より低いかどうかを判断する。所定の閾値Ｚ[dB]は、撮像素子のノイズやキズのレベルが充分に小さくなると考えられる低ＩＳＯ環境で映像が撮像されたときのゲインに相当する値となされている。すなわち、低ＩＳＯ環境の撮影で適正な明るさの映像が得られる場合、撮像素子１０２のゲインは低い値にコントロールされるため、ゲインの設定値が所定の閾値Ｚ[dB]より低い場合には、撮像素子のノイズやキズのレベルは小さいと考えられる。
【００３７】
ＣＰＵ１１４は、設定条件のゲインの設定値が、所定の閾値Ｚ[dB]よりも低いと判断すると、制御処理をステップＳ４０７へ進める。ステップＳ４０７では、ＣＰＵ１１４は、低ＩＳＯ環境で映像が撮像されて記録されている記録映像データから、垂直ＯＢ領域のデータのみを取得する。このステップＳ４０７の後、ＣＰＵ１１４は、制御処理をステップＳ４０９へ進める。ステップＳ４０９では、ＣＰＵ１１４は、８Ｋ用となっている垂直ＯＢ領域のデータを、映像分配器１０３を介して画像圧縮部１０８へ出力させ、さらに画像圧縮部１０８で２Ｋ用の垂直ＯＢ領域のデータに圧縮させる。この２Ｋ用の垂直ＯＢ領域のデータは、画像補正部１０９へ送られる。このステップＳ４０９の後、ＣＰＵ１１４は、制御処理をステップＳ４１２へ進める。ステップＳ４１２では、ＣＰＵ１１４は、画像補正部１０９に補正処理を実行させる。このとき、画像補正部１０９には、ステップＳ４１２で画像圧縮部１０７により圧縮処理された記録映像データと、ステップＳ４０９で画像圧縮部１０８により圧縮処理された垂直ＯＢ領域のデータとが供給される。したがって、画像補正部１０９は、垂直ＯＢ領域のデータを用いて、記録映像データの黒レベル合わせやＦＰＮ補正を行う。このステップＳ４０９の後は、前述のステップＳ２１１と同様の制御処理が行われるステップＳ４１３へ進む。
【００３８】
一方、ステップＳ４０６において、ＣＰＵ１１４は、設定条件によるゲインの値が、所定の閾値Ｚ[dB]よりも高いと判断すると、制御処理をステップＳ４０８へ進める。ステップＳ４０８では、ＣＰＵ１１４は、前述のステップＳ２０６と同様にダーク映像データを取得する。この場合、次のステップＳ４０９では、前述のステップＳ２０７と同じ処理が行われ、それ以降のステップＳ４１２でも前述のステップＳ２１０と同じ処理が行われる。
【００３９】
この第３の実施形態によれば、撮像素子のノイズやキズのレベルが充分に小さくなると考えられる低ＩＳＯ環境で撮像された記録映像データのフレームについては、撮像素子１０２による黒画像データの撮像が行われない。このため、第３の実施形態の撮像装置は、消費電力を抑えながら記録映像データの補正が可能となる。なお、この第３の実施形態で説明したような垂直ＯＢ領域のデータの取得とそれを用いた補正処理は、第２の実施形態の撮像装置にも適用可能である。
【００４０】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４１】
上述の実施形態は、何れも本発明を実施するにあたっての具体化の例を示したものに過ぎず、これらによって本発明の技術的範囲が限定的に解釈されてはならないものである。即ち、本発明は、その技術思想、又はその主要な特徴から逸脱することなく、様々な形で実施することができる。
【符号の説明】
【００４２】
１０１  光学レンズ、１０２  撮像素子、１０３  映像分配器、１０４  画像サイズ変更部、１０５  メタデータ付加部、１０６  記録部、１０７  画像圧縮部、１０８  画像圧縮部、１０９  画像補正部、１１０  現像部、１１１  表示部、１１２  撮像素子制御部、１１３  レンズ制御部、１１４  ＣＰＵ
【図１】
2016127385.tif 000003
【図２】
2016127385.tif 000004
【図３】
2016127385.tif 000005
【図４】
2016127385.tif 000006